(57)【特許請求の範囲】
【請求項１】
釣竿の外側に、釣糸を挿通させて案内するガイドリングを突設した釣糸ガイドとリール装着装置とを設けており、前記釣糸ガイド間又は釣糸ガイドとリール装着装置との間の釣竿所定位置外周に環状の位置規制部又は点状部を複数個環状に並べた位置規制部を突出形成し、内周側に凹部を形成していると共に、外周面中央部が高く形成された環状遊動ガイドが配設され、該環状遊動ガイドの凹部は節度感を有して前記位置規制部に係止できると共に、該係止状態を外すこともでき、該位置規制部の釣竿長手方向に沿った幅が前記環状遊動ガイドの幅よりも小さいことを特徴とする釣竿。
【発明の詳細な説明】
【０００１】
【発明の属する技術分野】
本発明は釣竿外周に突設させた釣糸ガイドを有する、所謂外通し釣竿に関し、こうした釣糸ガイド間領域が長い場合等において、釣糸が特に濡れた釣竿表面に接触して糸の繰出しが悪くなることを防止する技術に関する。
【０００２】
【従来の技術】
外通し釣竿において、遊動式ガイドを保持するための受座は圧入式であり、ガイド内径の製造誤差や受座外径の製造誤差等を考慮し、前後方向にテーパを形成してその外径寸法に選択幅を持たせるべく長幅（ガイドの幅に比べて大きな幅）に形成している。一方、本出願人の実開平７−２８３５６号公報において、釣竿外周に突設させた釣糸ガイドやリールとの間の領域に、釣糸案内を補助すべく釣竿表面よりも突出した表面を有する環状ガイドを一体化させた構造が開示されている。
【０００３】
【発明が解決しようとする課題】
然しながら、例えば振出式釣竿ではこうした環状ガイド表面の高さを高くしたい場合には竿管が収納ができないことになり、不都合である。従って、環状ガイドを遊動式に構成したい。また、製造を容易にするためにも環状ガイドを部品として別体に製造し、成形品の釣竿に対して装着組付けするようにし、更には、部品交換等のメンテナンスを可能にしたい。こうした場合、誘導環状ガイドを所定の位置に保持するために製造誤差を考慮した上述の圧入式の受座の形態を採用しては、この釣竿の受座領域のみ撓み剛性が上昇し、釣竿全体の滑らかな撓みが得られなくなる。
【０００４】
依って本発明は、突設釣糸ガイド間において釣糸案内を補助するガイド部材を所定の位置に装着させる構造が容易に製造でき、しかも釣竿の撓み性の阻害を防止できる釣竿の提供を目的とする。
【０００５】
【課題を解決するための手段】
上記目的に鑑みて本発明は、釣竿の外側に、釣糸を挿通させて案内するガイドリングを突設した釣糸ガイドとリール装着装置とを設けており、前記釣糸ガイド間又は釣糸ガイドとリール装着装置との間の釣竿所定位置外周に環状の位置規制部又は点状部を複数個環状に並べた位置規制部を突出形成し、内周側に凹部を形成していると共に、外周面中央部が高く形成された環状遊動ガイドが配設され、該環状遊動ガイドの凹部は節度感を有して前記位置規制部に係止できると共に、該係止状態を外すこともでき、該位置規制部の釣竿長手方向に沿った幅が前記環状遊動ガイドの幅よりも小さいことを特徴とする釣竿を提供する。
【０００６】
環状遊動ガイドを釣竿とは別部品としたため容易に製造でき、また位置規制部の釣竿長手方向に沿った幅が環状遊動ガイドの幅よりも小さいため、釣竿外部に位置規制部を設けたことによる釣竿撓み性の阻害を最小限に防止できると共に、位置規制部の所定位置の存在によって所定の位置に環状遊動ガイドを配設できる。
【０００７】
【発明の実施の形態】
以下本発明を添付図面に示す実施の形態例に基づき、更に詳細に説明する。
図１は本発明に係る釣竿を振出式に構成した例であるが、並継式等でもよい。元竿１０には第１中竿１２が、該第１中竿１２には第２中竿１４が、該第２中竿１４には第３中竿１６が夫々振出式に継ぎ合わされており、第３中竿から先部は図示を省略している。元竿１０にはリール１８を装着するリール装着装置２０が取付けられており、第１中竿１２の先部には、釣糸２２を挿通させて案内するガイドリングを突設した釣糸ガイド１２Ｔが保持されており、第２中竿１４の先部には同様な釣糸ガイド１４Ｔが保持されている。
【０００８】
例えば、釣竿表面が濡れていると釣糸が付着し易く、こうした場合でも釣糸放出時に釣糸が弛んでも釣竿表面への付着を防止できるように、リール装着装置２０と釣糸ガイド１２Ｔとの間の領域の所定位置に釣糸を外周に接触させて案内する遊動環状ガイド１２Ｙを、釣糸ガイド１２Ｔと釣糸ガイド１４Ｔとの間の領域の所定位置には同様な遊動環状ガイド１４Ｙを、夫々配設している。
【０００９】
図２に示すように、先細形状の第２中竿１４の所定位置外周には環状の位置規制部１４Ｋが突出形成されており、これに係止でき、外周面１４Ｓの中央部が高く形成された環状遊動ガイド１４Ｙが装着されて図１の状態に構成されている。環状遊動ガイド１４Ｙは、図２に示すように内周側の中央に位置規制部１４Ｋに係止可能な凹部１４Ｍが形成されており、内周側の両縁部１４Ｃは平面状や曲面状の面取が形成されており、第２中竿１４の先端部（図２の左側）から矢印の方に移動させて、環状位置規制部１４Ｋにかかる際に節度感ある抵抗を奏しつつ凹部１４Ｍが係合して保持される。また、適度な力で逆方向に移動させて係止状態を外すこともできる。例えば、環状遊動ガイド１４Ｙの外径は１７．６ｍｍであり、第２中竿表面から１．７５ｍｍ程突出しており、環状遊動ガイド１４Ｙの凹部の内径は１４．８ｍｍ、環状遊動ガイドの内径は１４．２ｍｍである。この程度で節度感が生じ、遊動ガイドの装着時に信頼感が持てる。また、この実施形態例の環状遊動ガイドの幅は３．５ｍｍであり、凹部１４Ｍの幅は１．１ｍｍである。
【００１０】
環状位置規制部１４Ｋの幅は環状遊動ガイド１４Ｙの幅よりも小さく、釣竿の撓みに対しては殆ど影響が無い。この環状位置規制部１４Ｋは、特に材料を限定する必要は無いが、竿管本体層用プリプレグ以外の材料、例えば第２中竿１４表面に塗装する塗料で形成すれば釣竿強度を低下させないで済む。また、環状遊動ガイド１４Ｙはジュラコン（商品名）等の滑り性のよい材料が好ましいが、外側を撥水性のよい材料で構成し、内側を係止が容易なようにゴム材等で形成した複合構成でもよい。また、環状遊動ガイドの他に、半環状の遊動ガイド等であってもよい。釣糸ガイド１２Ｔや釣糸ガイド１４Ｔの側に半環状遊動ガイドを配設すればよい。また、環状遊動ガイド１４Ｙが環状位置規制部１４Ｋに係止しても遊嵌状であれば、釣竿が撓んだ際にこの環状遊動ガイド１４Ｙの剛性の影響を受けず、撓み性が更に向上すると共に、環状遊動ガイド１４Ｙから釣竿に力が作用せず、釣竿強度の低下が防止できる。
以上のことは、他の環状遊動ガイド１２Ｙについても同様である。
【００１１】
図３は参考形態を示す。第２中竿表面の適宜幅離隔した位置に２個の環状位置規制部１４Ｋ１と１４Ｋ２とが形成されており、この間の領域に環状遊動ガイド１４Ｙ’が遊嵌状に配置されている。環状遊動ガイドはその内周側の両側縁１４Ｃ’が面取形成されている。各環状位置規制部の幅は環状遊動ガイドの幅よりも小さく形成されている。また、環状遊動ガイド１４Ｙ’は先細状の第２中竿１４の先部方向（図の左側）に適宜な抵抗力に打ち勝ちつつ移動させて環状位置規制部１４Ｋ１を乗り越えることができる。また、逆に第２中竿１４の先部から元側に移動させて適宜な抵抗力に打ち勝ちつつ図３の状態にできる。この適宜な抵抗力とその直後の力の開放とが節度感をもたらす。元側の環状位置規制部１４Ｋ２は環状遊動ガイド１４Ｙ’によって乗り越え難く形成されている。釣り状態において、環状遊動ガイド１４Ｙ’が２個の環状位置規制部の間で移動可能であることを除けば、図２の場合と同様な作用効果を奏する。
【００１２】
この他、図４に示すように環状の位置規制部の代りに、点状の位置規制部１４Ｋ’を複数個環状に並べてもよい。位置規制部の幅は環状遊動ガイド１４Ｙの幅よりも小さい。図４の場合、環状遊動ガイド１４Ｙは図２と同じ構造でもよく、また、異なってもよい。図２の形態と比較して作用、効果は同じといえるが、図４の場合の方が更に釣竿の撓み性に与える影響が少ない。
【００１３】
その他、参考例としての図５に示すように溝状の環状位置規制部１４Ｋ”に環状遊動ガイド１４Ｙ”の内側頂部１４ＹＴを係止させる構造を採用することもできる。環状位置規制部１４Ｋ”の幅は環状遊動ガイド１４Ｙ”の幅以下でよいが、大きくてもよい。この環状遊動ガイド１４Ｙ”には幅方向に割りを有しており、このため半径方向に弾力性を有し、先細の釣竿表面を摺動させながら拡径させつつ元側に移動させ、環状位置規制部１４Ｋ”の位置で弾性力を開放させ、節度感を生じせしめつつ係止でき、係止後は回動可能である。環状遊動ガイド１４Ｙ”の弾性力は、割りの代りに内側頂部１４ＹＴに相当する部分を、半径方向に作用する内蔵したばね部材等で支承せしめても発生できる。
上記溝状の環状位置規制部１４Ｋ”の形成は、釣竿竿管表面に塗装する塗料の膜厚範囲で行えば、釣竿の強度に影響を与えないで済み、撓み性にも影響を与えない。また、環状遊動ガイド１４Ｙ”の装着構造が簡便に構成できる。
【００１４】
以上の形態例では釣竿は外通しタイプであったが、図６では竿管成形後にガイドリングを装着させる手法によってガイドリングの配設を容易にしたり、メンテナンスのために着脱が可能なよう構成した中通し釣竿に適用した例を示す。中通し釣竿の竿管１５内部の適宜位置には、竿管形成用プリプレグの樹脂によって、或いは他の樹脂や繊維強化樹脂素材等によって内側に突出した環状位置規制部１５Ｋを一体形成している。これとは別に成形したセラミックスやジュラコン等による環状のガイド部材１５Ｙを係止装着させる。ガイド部材１５Ｙはその幅方向の外周中央に前記環状位置規制部１５Ｋと係合可能な環状溝１５Ｍが形成されており、更には、竿管成形後に元側（図の右側）からガイド部材１５Ｙを挿入装着させる作業を容易にさせたり、また、逆に外して元側から取り出してガイド部材１５Ｙを掃除したり交換したりのメンテナンスが容易なように、その両側縁１５Ｃには面取が施されている。
【００１５】
装着後の係合状態は、ガイド部材１５Ｙが回動可能な状態であり、ガイド部材１５Ｙの存在は釣竿が撓む際にも抵抗になり難く、釣竿の撓み性が向上する。また、環状位置規制部１５Ｋの幅はガイド部材１５Ｙの幅以下であり、釣竿の撓み性に与える影響は小さい。また、図２の場合と同様に、係合時に節度感のあることが装着の信頼感を与える。中通し釣竿では内部が見えないので装着時の節度感は更に重要である。
【００１６】
上記環状位置規制部１５Ｋを竿管本体に一体化させるには、製造時に２点鎖線Ｓ１で示す芯金の表面に、所定厚さの耐熱性のテープやシートを環状位置規制部１５Ｋの幅だけ離隔させて巻回したり、或いは、環状位置規制部１５Ｋに対応した断面形状の溝を形成したテープ等を巻回し、これらのテープ等の上に竿管本体用のプリプレグを巻回して、常法に従って加圧加熱成形し、芯金除去後にテープ等を除去すればよい。前述のテープ等を離隔巻回させる場合では、更にその離隔隙間を覆うように薄いテープ等を介在させると、環状位置規制部１５Ｋの横断面形状が曲線状に滑らかに形成できる。
【００１７】
【発明の効果】
以上の説明から明らかなように本発明では、突設釣糸ガイド間において釣糸案内を補助するガイド部材を所定の位置に装着させる構造が容易に製造でき、しかも釣竿の撓み性の阻害を防止できる釣竿が提供できる。
【図面の簡単な説明】
【図１】図１は本発明に係る釣竿の要部側面図である。
【図２】図２は図１の要部の拡大部分破断図である。
【図３】図３は図２に対応する参考例の図である。
【図４】図４は図２に対応する他の形態例の図である。
【図５】図５は図２に対応する参考例の図である。
【図６】図６は中通し釣竿に応用する場合の説明用要部断面図である。
【符号の説明】
１２Ｔ，１４Ｔ            ガイドリングを突設した釣糸ガイド
１２Ｙ，１４Ｙ            遊動ガイド部材
１４Ｋ                    位置規制部
【図１】
0003539833.tif 000002
【図２】
0003539833.tif 000003
【図３】
0003539833.tif 000004
【図４】
0003539833.tif 000005
【図５】
0003539833.tif 000006
【図６】
0003539833.tif 000007